(57)【特許請求の範囲】
【請求項１】
押出成形により形成される中空の庇板が幅方向に複数連ねられるとともに、隣り合う庇板の開放端面間の各隙間部分に、隙間部分の幅より大きな幅の上枠板および下枠板が全長にわたって上下から装着されて成る庇において、
前記下枠板は、両側縁に上向きの突縁部を有し、幅中央部には前記隙間部分へ挿入されて庇板の開放端面にネジ止めされる縦板部が突設されるとともに、縦板部と各突縁部との間に各庇板の下面に沿って前後に延びる樋溝部がそれぞれ形成されており、縦板部の両板面には、隣り合う庇板の対向する各開放端面にそれぞれ当接する突当面および各突当面の下方に各庇板の中空内部と各樋溝部とを連通させる雨水の通路がそれぞれ形成されて成る庇。
【請求項２】
各庇板は、中空内部に貫通孔を有する複数のリブを有し、各リブの貫通孔の開放端部に、下枠板の縦板部をネジ止めするためのネジがねじ込まれるネジ孔が形成されている請求項１に記載された庇。
【請求項３】
前記雨水の通路は、通路幅が下枠板の縦板部の全長にわたる一連の通路により構成される請求項１に記載された庇。
【請求項４】
前記下枠板の両突縁部と各庇板の下面との間に溢水のための隙間が設けられている請求項１に記載された庇。
【発明の詳細な説明】
【技術分野】
【０００１】
この発明は、建物の外壁面より前方へ張り出すように設けられる庇に関し、特にこの発明は、建物の外壁面に沿って複数の庇板が幅方向へ連ねられて構成される庇に関する。
【背景技術】
【０００２】
従来、その種の庇として、複数の庇板を金属製の枠材を用いて建物の外壁面沿いに連結した構造のものがある。庇板には合成樹脂製の板材が用いられ、各庇板の基端縁を建物の外壁面に沿って設けられた横枠材のパネル取付部に挿入し、かつ各庇板の側端縁を横枠材に対して直角に設けられた複数の縦枠材のパネル取付部に挿入することにより、複数の庇板が連ねられた状態で水平に保持されている（例えば特許文献１参照）。
【０００３】
近年、庇の軽量化をはかるため、アルミニウムの押出成形により形成された中空の庇板が用いられ、この種の庇板を幅方向に複数連ねて形成された庇が製品化されている。この庇では、図４に示すように、各庇板２ａ，２ｂは開放端面２０Ｌ，２０Ｒを幅方向に向けて連ねられ、隣り合う庇板２ａ，２ｂの開放端面２０Ｌ，２０Ｒ間の隙間部分ｔに、隙間部分ｔの幅ｄより大きな幅Ｄの上枠板８と下枠板９とを上下から被せることにより隙間間隙ｔを塞ぎ、庇板２ａ，２ｂの中空内部への雨水の浸入を防いでいる。上枠板８と庇板２０ａ，２０ｂの上面との間、および下枠板９と庇板２０ａ，２０ｂの下面との間にはそれぞれゴムパッキン８０，９０を介在させ、上枠板８および下枠板９をゴムパッキン８０，９０と一体に庇板２０ａ，２０ｂの上下各面にネジ８１，９１によりネジ止めしている。
【先行技術文献】
【特許文献】
【０００４】
【特許文献１】特開２００８−２８０７６１号公報
【発明の概要】
【発明が解決しようとする課題】
【０００５】
上記した構成の庇では、前記隙間部分ｔについては各庇板２ａ，２ｂの中空内部へ雨水が浸入するのを防止できるものの、庇の側端部や基端部における隙間やネジ孔などから庇板２ａ，２ｂの中空内部に雨水が浸入するおそれがあり、また、ゴムパッキン８０，９０が劣化すれば、隣り合う庇板２ａ，２ｂ間の隙間部分ｔからも雨水が浸入するおそれがある。特に、庇板２ａ，２ｂとして、図１（後述）に示すような、複数の中空体２００を連結した構造のものが用いられた庇では、図５に示すように、連結部分に生じる隙間ｐから各中空体２００の内部に雨水が浸入して庇板の中空内部に溜まり、これを排除するのが困難である。また、下枠板９は庇板２ａ，２ｂの下面に複数のネジ９１により固定され、各ネジ９１の頭部が下枠板９の板面より露出するため、庇を下方から見上げたとき、各ネジ９１の頭部が見え、庇の見栄えを低下させている。
【０００６】
この発明は、上記した問題に着目してなされたもので、下枠板を固定するネジを外部から見えない位置に配置して見栄えの低下を防ぎ、庇板の中空内部に雨水が浸入しても、隣り合う庇板間の隙間部分より下枠板に沿って雨水を外部へ導出可能とすることにより、庇板の中空内部に雨水が溜まるのを防止した庇を提供することを目的とする。
【課題を解決するための手段】
【０００７】
この発明による庇は、押出成形により形成される中空の庇板が幅方向に複数連ねられるとともに、隣り合う庇板の開放端面間の各隙間部分に、隙間部分の幅より大きな幅の上枠板および下枠板が全長にわたって上下から装着されて成るものである。前記下枠板は、両側縁に上向きの突縁部を有し、幅中央部には前記隙間部分へ挿入されて庇板の開放端面にネジ止めされる縦板部が突設されるとともに、縦板部と各突縁部との間に各庇板の下面に沿って前後に延びる樋溝部がそれぞれ形成されている。縦板部の両板面には、隣り合う庇板の対向する各開放端面にそれぞれ当接する突当面および各突当面の下方に各庇板の中空内部と各樋溝部とを連通させる雨水の通路がそれぞれ形成されている。
【０００８】
上記した構成の庇において、下枠板の縦板部が庇板間の隙間部分に挿入されて庇板の開放端面にネジ止めされるので、ネジは外部から見えず、庇の見栄えを低下させることがない。また、縦板部の両板面に形成した突当面が隣り合う庇板の対向する各開放端面にそれぞれ当接するので、隣り合う庇板は下枠板を介して安定した状態で連結保持されるとともに、庇板の長さ方向の強度が縦板部によって高められる。
何処からか庇板の中空内部に雨水が浸入すると、雨水は下枠板の縦板部に形成された雨水の通路を通って庇板の中空内部より下枠板の樋溝部へ導出され、樋溝部を流れて適所より外部へ放出されるので、雨水が庇板の中空内部に停滞することがない。
【０００９】
この発明の好ましい実施態様においては、各庇板は、中空内部に貫通孔を有する複数のリブを有し、各リブの貫通孔の開放端部に、下枠板の縦板部をネジ止めするためのネジがねじ込まれるネジ孔が形成されている。
この実施態様によれば、リブの存在によって庇板の幅方向の強度が高められ、また、そのリブの貫通孔を利用して庇板の開放端面にネジ孔を容易に形成することができる。
【００１０】
この発明の上記した構成において、前記雨水の通路は、通路幅が下枠板の縦板部の全長にわたる一連の通路により構成されるのが望ましいが、これに限らず、所定の通路幅を有する複数の通路によって雨水の通路を構成することもできる。
【００１１】
この発明の好ましい実施態様においては、前記下枠板の両突縁部と各庇板の下面との間に溢水のための隙間が設けられている。
この実施態様によると、庇板の中空内部から樋溝部へ多量の雨水が導出されたとき、雨水は樋溝部を流れて適所より外部へ放出されるとともに、溢水のための隙間より溢れて外部へ排出される。
【発明の効果】
【００１２】
この発明によると、下板枠を固定するネジは外部から見えないので、庇の見栄えを低下させることがない。また、庇板の中空内部に雨水が浸入しても、下板枠に形成した樋溝部に雨水を集めて外部へ導出できるので、庇板の中空内部に雨水が停滞することがない。さらに、下枠板の縦板部によって庇の長さ方向の強度が高められるという効果もある。
【図面の簡単な説明】
【００１３】
【図１】この発明の一実施例である庇の外観を示す平面図である。
【図２】庇板の連設構造を示す断面図である。
【図３】上枠板および下枠板の組込状態を示す分解斜視図である。
【図４】従来の庇板の連設構造を示す断面図である。
【図５】連結部分より水が浸入する様子を示す拡大図である。
【発明を実施するための形態】
【００１４】
図１は、この発明の一実施例である庇１の外観を示している。図示の庇１は、建物の外壁面１０から張り出すようにやや前下がりの状態で設けられるもので、内部が中空の庇板２を幅方向に複数枚連ねて構成されている。各庇板２は、アルミニウムの押出成形により形成された複数個の中空体２００を前後方向に連結して構成されており、建物の外壁面１０に固着された保持具３により各庇板２の基端部が保持されている。図中、１１は両端に位置する庇板２の外側の開放端縁を塞ぐように装着された側板であり、１２は後述する上枠板４および下枠板５の前端間に装着される前端板である。
なお、この実施例では、庇板２として、複数個の中空体２００を連結した構造のものが用いられているが、この発明はこれに限らず、全体が一枚物の庇板にも適用することができる。また、図示例では、庇板２は前下がりの状態に設置されているが、水平または後下がりの状態に設置してもよい。
【００１５】
各庇板２は、平面形状が横に長い矩形状であり、前端と後端とは図示しない端板部により塞がれ、両側は開放端となっている。各庇板２は左右の開放端面が幅方向を向くように配列され、図２および図３に示すように、隣り合う庇板２ａ，２ｂの対向する開放端面２０Ｌ，２０Ｒ間には隙間部分ｔを介在させている。各庇板２ａ，２ｂが押出成形により形成されるとき、各庇板２ａ，２ｂの中空内部には貫通孔２１を有するリブ２２が一定の間隔毎に複数形成される。各リブ２２の貫通孔２１の開放端部にはネジが切られ、そのネジ孔２３に下枠板５をネジ止めするためのネジ６がねじ込まれる。
【００１６】
隣り合う庇板２ａ，２ｂの対向する開放端面２０Ｌ，２０Ｒ間の各隙間部分ｔには、隙間部分ｔの幅ｄより十分に大きな幅Ｄの上枠板４および下枠板５が隙間部分ｔの全長にわたって上下から装着されている。上枠板４および下枠板５はアルミニウムの押出成形により形成されたものである。
上枠板４は、両側縁に下向きの突縁部４１，４１を有しており、隣り合う各庇板２ａ，２ｂの上面に各突縁部４１，４１の下端を突き当て、ゴムパッキン５を中間に介在させてネジ４２，４２により一体にネジ止めされている。図中、４３は上枠板４の板面の左右対称位置に一定間隔毎に開設された皿穴、２４は各庇板２ａ，２ｂの上面に形成されたネジ孔であり、ネジ４２の頭部は皿穴４３に支持され、ネジ４２のネジ軸部はネジ孔２４にネジ込まれる。
【００１７】
この実施例では、上枠板４と庇板２との間にゴムパッキン７を介在させて庇板２ａ，２ｂの上面を流れる雨水が庇板２，２間の隙間部分ｔへ流入するのを阻止しているが、これに限らず、ゴムパッキン７を介在させずに上枠板４を庇板２の上面に直接ネジ止めし、庇板２ａ，２ｂの上面を流れる雨水が庇板２ａ，２ｂ間の隙間部分ｔへ浸入するのを許容するようにしてもよい。
【００１８】
下枠板５は、両側縁に上向きの突縁部５１，５１を有し、幅中央部には前記隙間部分ｔに挿入されて一方の庇板２ａの開放端面２０Ｌにネジ止めされる縦板部５２が突設されている。縦板部５２は隣り合う庇板２ａ，２ｂの対向する開放端面２０Ｌ，２０Ｒ間の隙間部分ｔへ挿入可能な厚みと隙間部分ｔに適合する幅および長さとを有しており、縦板部５２と各突縁部５１，５１との間には、各庇板２ａ，２ｂの下面に沿って前後に延びる樋溝部５３，５３がそれぞれ形成されている。各樋溝部５３，５３は前下がりの傾斜に沿って雨水を庇の前端へ導くもので、雨水は各樋溝部５３，５３の前端の開放部分より外部へ放出される。
【００１９】
縦板部５２の一方の板面には、一方の庇板２ａの開放端面２０Ｌに当接させる第１の突当面５４が形成され、他方の板面には、他方の庇板２ｂの開放端面２０Ｒに当接させる第２の突当面５５が形成されている。第１の突当面５４は前記貫通孔２１の開口端上に被さるように庇板２ａの開放端面２０Ｌの少なくとも上半分の領域に当接するもので、貫通孔２１に対応する位置にはネジ６がねじ込まれるネジ孔５９が形成されている。第２の突当面５５は貫通孔２１の開口端上に被さらないように貫通孔２１より下方の領域に当接するものである。第２の突当面５５の上方の領域はネジ６の頭部を支えるネジ支持面５６になっており、縦板部５２のネジ孔５９および庇板２ａの開放端面２０Ｌに臨ませたネジ孔２３にネジ６がねじ込まれることにより、縦板部５２が庇板２ａの開放端面２０Ｌにネジ止めされる。
【００２０】
第１、第２の各突当面５４，５５の下方には各庇板２ａ，２ｂの中空内部と各樋溝部５３，５３とを連通させる第１、第２の雨水の通路５７，５８が形成されている。各雨水の通路５７，５８は、通路幅が下枠板５の縦板部５２の全長にわたる単一の通路によりそれぞれ構成されており、第１の突当面５４と第２の突当面５５との間の縦板部５２の厚みを隙間部分ｔの幅ｄに一致させ、雨水の通路５７，５８の位置での縦板部５２の厚みを隙間部分ｔの幅ｄより小さくすることにより第１、第２の雨水の通路５７，５８が形成されている。
【００２１】
下枠板５の縦板部５２を庇板２ａ，２ｂの対向する開放端面２０Ｌ，２０Ｒ間の隙間部分ｔに挿入してネジ止めされた状態のとき、第１、第２の雨水の通路５７，５８は庇板２ａ，２ｂの下方に位置し、両突縁部５１，５１と各庇板２ａ，２ｂの下面との間に溢水のための隙間ｓ，ｓが形成される。なお、図２において、一点鎖線は上枠板４および下枠板５の前端間に装着される前板１２であり、各樋溝部５３，５３は前端が開放され、この開放端より雨水が外部に放出される。
図示例では、庇板２の上面に沿って流下する雨水および雨水の通路５７，５８に導かれる雨水は庇の前端部より外部へ放出されるが、庇の前端に樋板を装着するなどして、庇の両側部へ雨水を導いて放出するようにしてもよい。
【００２２】
上記した構成の庇において、下枠板５の縦板部５２が庇板２ａ，２ｂ間の隙間部分ｔに挿入されて庇板２ａの開放端面２０Ｌにネジ止めされるので、ネジ６は外部から見えず、庇の見栄えを低下させることがない。また、縦板部５２の両板面に形成した第１、第２の各突当面５４，５５が隣り合う庇板２ａ，２ｂの対向する各開放端面２０Ｌ，２０Ｒにそれぞれ当接するので、隣り合う庇板２０ａ，２０ｂは下枠板５を介して安定した状態で連結保持されるとともに、庇板２０ａ，２０ｂの長さ方向の強度が縦板部５２によって高められる。
【００２３】
中空体２００の連結部分の隙間などから庇板２ａ，２ｂの中空内部に雨水が浸入すると、雨水は下枠板５の縦板部５２に形成された第１、第２の雨水の通路５７，５８を通って庇板２ａ，２ｂの中空内部より下枠板５の樋溝部５３，５３へ導出され、樋溝部５３，５３を流れて前端より外部へ放出されるので、雨水が庇板２ａ，２ｂの中空内部に停滞することがない。
庇板２ａ，２ｂの中空内部から樋溝部５３，５３へ多量の雨水が導出されたとき、雨水は樋溝部５３，５３を流れて前端より外部へ放出されるとともに、溢水のための隙間ｓ、ｓより溢れて外部へ排出される。
【符号の説明】
【００２４】
１    庇
２，２ａ，２ｂ  庇板
４    上枠板
５    下枠板
６    ネジ
２１  貫通孔
２２  リブ
５１  突縁部
５２  縦板部
５３  樋溝部
５４，５５  突当面
５７，５８  雨水の通路
ｔ    隙間部分
ｓ    隙間
【要約】
【課題】下枠板を固定するネジが外部から見えないようにして見栄えの低下を防ぎ、庇板の中空内部に雨水が停滞しないようにする。
【解決手段】庇は押出成形により形成される庇板が幅方向に複数連ねられるとともに、隣り合う庇板２ａ，２ｂの開放端面２０Ｌ，２０Ｒ間の各隙間部分ｔに上枠板４および下枠板５が上下から装着されている。下枠板５は、両側縁に突縁部５１，５１を有し、幅中央部に隙間部分ｔへ挿入されて庇板の開放端面にネジ止めされる縦板部５２が突設されている。縦板部５２と各突縁部５１，５１との間には各庇板２ａ，２ｂの下面に沿って前後に延びる樋溝部５３，５３が形成されている。縦板部５２には、庇板２ａ，２ｂの各開放端面に当接する突当面５４，５５および各突当面５４，５５の下方に各庇板２ａ，２ｂの中空内部と各樋溝部５３，５３とを連通させる雨水の通路５７，５８が形成されている。
【選択図】図２【図１】
0004830055.tif 000002
【図２】
0004830055.tif 000003
【図３】
0004830055.tif 000004
【図４】
0004830055.tif 000005
【図５】
0004830055.tif 000006